(57)【特許請求の範囲】
【請求項１】
所定厚みのシート状に形成されたクッション本体の中央部には平面視が円形状で所定深さの凹部が形成されるとともに、この凹部からクッション本体の外縁に亘って所定深さの溝部が形成されたことを特徴とするペットの介護用クッション。
【請求項２】
前記クッション本体の表面には通気性に優れた生地が用いられ、クッション本体の裏面には滑り止めに優れた生地が用いられていることを特徴とする請求項１記載のペットの介護用クッション。
【発明の詳細な説明】
【技術分野】
【０００１】
本発明は、介護が必要なペットに用いる介護用クッションに関するものである。
【背景技術】
【０００２】
近年、住環境等の生活環境の変化に伴って、犬、猫等のペットを室内で飼育することが多くなっている。そして、これらのペットは、老衰や事故、病気等によって寝たきりの状態になったり、寝たきりの状態とならなくても体力の衰えにより日常生活において介護を要する状態になる場合が起こり得る。
【０００３】
このようにペットに介護が必要になった場合、従来では当該ペットに用いるクッション等のペット専用の介護用品がなく、クッションの代用として例えばタオルやバスタオルを丸めたり折り畳んだりなどして使用していた。
【発明の開示】
【発明が解決しようとする課題】
【０００４】
しかしながら、上記従来のようにタオルなどを用いてクッションとしてペットに使用するものでは、タオルの使用の仕方によっては適正な状態でペットを寝かすのが難しく、このためにペットに床ずれなどが生じたりしてペットを良好に介護できないという問題が生じていた。
【０００５】
本発明は、上記問題点に鑑みてなされたもので、その目的とするところは、ペットの介護に好適なペット専用の介護用クッションを提供することにある。
【課題を解決するための手段】
【０００６】
上記の目的を達成するため、請求項１に係る発明のペットの介護用クッションは、所定厚みのシート状に形成されたクッション本体の中央部には平面視が円形状で所定深さの凹部が形成されるとともに、この凹部からクッション本体の外縁に亘って所定深さの溝部が形成されたものである。
【０００７】
請求項２に係る発明のペットの介護用クッションは、前記クッション本体の表面には通気性に優れた生地が用いられ、クッション本体の裏面には滑り止めに優れた生地が用いられているものである。
【発明の効果】
【０００９】
本発明によれば、本発明のペットの介護用クッションを介護が必要になったペットに使用することで、ペットを好適な姿勢で寝かせることができ、これによって床ずれなどが生じるのを防止することができる。
【発明を実施するための最良の形態】
【００１０】
以下、本発明の実施の形態について図面を参照して説明する。
【００１１】
図１は、本発明のペットの介護用クッションを示している。
【００１２】
この介護用クッション１は、犬、猫等のペットが寝たきりなどになって介護が必要となった場合に使用するクッションであり、図１及び図２に示すようにクッション本体２の中央部に凹部３が形成されるとともに、この凹部３からクッション本体２の外縁に亘って溝部４が形成されてなるものである。
【００１３】
上記クッション本体２は、所定厚みを有するシート状に形成されるとともに、その外形状が例えば平面視円形状に形成されている。
【００１４】
上記凹部３は、平面視が円形状で所定深さに形成されており、この凹部３にペットの頬や腰、肩などの部位をあてがうことによって当該ペットを好適な状態（姿勢）で寝かせることができるように、クッション本体２に対する大きさ及び深さが設定されている。
【００１５】
上記溝部４は、前記凹部と同様に所定深さで例えば略切欠に近い形に形成されたものであり、上述したようにペットの腰等を前記凹部３にあてがった際に自重がペットの体の一部分に集中的に作用するのを回避することによってペットを好適な状態（姿勢）で寝かせることができるように、その幅及び深さが設定されている。
【００１６】
そして、このように形成されたクッション本体２の表面２ａには通気性に優れた生地が用いられ、また、クッション本体２の裏面２ｂには滑り止めに優れた生地が用いられている。具体的には、表面２ａの生地としては例えばＷラッセル構造で抗菌性・消臭性に優れたものが使用され、裏面２ｂの生地としては例えばポリ塩化ビニル（ＰＶＣ）製のものが使用されている。
【００１７】
なお、クッション全体の大きさはペットの大きさに合わせて適宜に設定すればよい。
【００１８】
このように構成した介護用クッション１を介護が必要になったペットに使用することで、ペットを好適な姿勢で寝かせることができ、これによって床ずれなどが生じるのを防止することができる。
【００１９】
具体的には、ペットの頬、腰、肩及び頭部等の部位を凹部３内にあてがうようにして当該ペットを介護用クッション１の上に寝かせるとともに、ペットの姿勢に応じて当該ペットの一部分を溝部４に沿わせることによってペットの床ずれの発生を防止することで、ペットを快適な環境の下で介護することができる。
【００２０】
また、介護用クッション１は抗菌性・消臭性に優れるとともに水洗いも可能であることから衛生的であり、これによりペットのみならず介護者も心地よく使用することができる。
【００２１】
図３は、本発明のペットの介護用クッションの他の例を示している。
【００２２】
この介護用クッション１０は、犬、猫等のペットが寝たきりなどになって介護が必要となった場合に使用するクッションであり、クッション本体１１が全体として円柱状に形成されている。
【００２３】
このクッション本体１１は、その両端縁１１ａに図示はしいなが形状保持ワイヤが内蔵されており、この形状保持ワイヤによって略楕円状に形成された両端形状を保持するようにしている。
【００２４】
また、クッション本体１１の表面には通気性に優れた生地が用いられている。具体的には、表面の生地としては例えばＷラッセル構造で抗菌性・消臭性に優れたものが使用されている。
【００２５】
なお、このクッション全体の大きさはペットの大きさに合わせて適宜に設定すればよい。
【００２６】
このように構成した介護用クッション１０を介護が必要になったペットに使用することで、ペットを好適な姿勢で寝かけることができ、これによって床ずれなどが生じるのを防止することができる。
【００２７】
具体的には、ペットの両足に介護用クッション１０を挟み込むようにして抱かせることによって、ペットの股擦れなどの発生を防止することができ、これによってペットを快適な環境で介護することができる。
【００２８】
また、介護用クッション１は抗菌性・消臭性に優れるとともに水洗いも可能であることから衛生的であり、これによりペットのみならず介護者も心地よく使用することができる。
【図面の簡単な説明】
【００２９】
【図１】本発明のペットの介護用クッションを示す斜視図である。
【図２】同じくペットの介護用クッションを示す断面図である。
【図３】本発明のペットの介護用クッションの他の例を示す斜視図である。
【符号の説明】
【００３０】
１  介護用クッション
２  クッション本体
３  凹部
４  溝部
１０  介護用クッション
１１  クッション本体
１１ａ  両端縁
【図１】
0004467511.tif 000002
【図２】
0004467511.tif 000003
【図３】
0004467511.tif 000004